(57)【特許請求の範囲】
【請求項１】
液体を吐出するための複数の吐出口を有する液体吐出部、前記液体吐出部に供給される液体を収容し且つ大気と連通した液体収容部、及び、前記液体収容部から前記液体吐出部に供給される液体の流路を形成する流路部材を支持する記録モジュールと、
記録媒体を収容するための記録媒体収容部と、
前記記録モジュールを着脱可能に支持する筐体と、
前記筐体に設けられ、記録媒体を前記記録媒体収容部から前記記録モジュールへ搬送する搬送機構と、
前記流路を選択的に開放し又は閉塞するように構成された開閉機構とを備えており、
前記開閉機構は、前記記録モジュールが前記筐体に支持された状態において当該記録モジュールに記録媒体を供給可能に前記筐体に装着された装着位置にあるとき前記流路を開放し、前記記録モジュールが前記筐体から離脱した状態において前記流路を閉塞するように構成されており、
前記記録モジュールは、前記液体吐出部を支持し且つ前記搬送機構によって前記液体吐出部に向けて記録媒体が搬送される方向である搬送方向と直交する直交方向に前記液体吐出部を移動させるためのキャリッジをさらに支持しており、
前記流路部材は、前記液体吐出部に接続され且つ前記液体吐出部が前記直交方向に移動するときに変位する変位部分と、前記液体収容部に接続され且つ前記液体吐出部が前記直交方向に移動するときに変位しない固定部分とを有し、
前記開閉機構は、前記固定部分において前記流路を閉塞することを特徴とする記録装置。
【請求項２】
前記開閉機構は、前記流路を開放する開放位置及び前記流路を閉塞する閉塞位置を選択的に取ることが可能な移動部材を有し、
前記移動部材は、前記記録モジュールが前記装着位置にあるとき前記開放位置を取り、前記記録モジュールが前記筐体から離脱した状態において前記閉塞位置を取るように構成されていることを特徴とする請求項１に記載の記録装置。
【請求項３】
液体を吐出するための複数の吐出口を有する液体吐出部、前記液体吐出部に供給される液体を収容し且つ大気と連通した液体収容部、及び、前記液体収容部から前記液体吐出部に供給される液体の流路を形成する流路部材を支持する記録モジュールと、
記録媒体を収容するための記録媒体収容部と、
前記記録モジュールを着脱可能に支持する筐体と、
前記筐体に設けられ、記録媒体を前記記録媒体収容部から前記記録モジュールへ搬送する搬送機構と、
前記流路を選択的に開放し又は閉塞するように構成された開閉機構とを備えており、
前記開閉機構は、前記記録モジュールが前記筐体に支持された状態において当該記録モジュールに記録媒体を供給可能に前記筐体に装着された装着位置にあるとき前記流路を開放し、前記記録モジュールが前記筐体から離脱した状態において前記流路を閉塞するように構成されており、
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、
前記開閉機構は、前記装着位置にあった前記記録モジュールが前記引出位置に到達したときに前記流路を閉塞するように構成されていることを特徴とする記録装置。
【請求項４】
前記筐体は、前記装着位置から前記引出位置に向かう引出方向に沿って延在し且つ前記引出方向に対して傾斜した傾斜面を有する傾斜部材を含み、
前記記録モジュールは、前記流路部材を押圧する押圧位置及び前記流路部材を押圧しない非押圧位置を選択的に取ることが可能な押圧部材であって、前記引出方向に沿った軸を中心として回動可能な押圧部材と、前記押圧部材を前記非押圧位置から前記押圧位置に向けて付勢する付勢部材とをさらに支持しており、
前記開閉機構は、
前記傾斜部材、前記押圧部材及び前記付勢部材を含み、
前記記録モジュールが前記装着位置にあるとき、前記押圧部材が前記傾斜部材の前記傾斜面と接触することにより前記付勢部材の付勢力に抗して前記非押圧位置に配置されることで、前記流路を開放し、
前記記録モジュールが前記装着位置から前記引出位置に移動するとき、前記押圧部材が、前記傾斜部材の前記傾斜面に沿って移動して前記軸を中心として回動し、前記非押圧位置から前記押圧位置に移動することで、前記流路を閉塞するように構成されていることを特徴とする請求項３に記載の記録装置。
【請求項５】
液体を吐出するための複数の吐出口を有する液体吐出部、前記液体吐出部に供給される液体を収容し且つ大気と連通した液体収容部、及び、前記液体収容部から前記液体吐出部に供給される液体の流路を形成する流路部材を支持する記録モジュールと、
記録媒体を収容するための記録媒体収容部と、
前記記録モジュールを着脱可能に支持する筐体と、
前記筐体に設けられ、記録媒体を前記記録媒体収容部から前記記録モジュールへ搬送する搬送機構と、
前記流路を選択的に開放し又は閉塞するように構成された開閉機構とを備えており、
前記開閉機構は、前記記録モジュールが前記筐体に支持された状態において当該記録モジュールに記録媒体を供給可能に前記筐体に装着された装着位置にあるとき前記流路を開放し、前記記録モジュールが前記筐体から離脱した状態において前記流路を閉塞するように構成されており、
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、
前記開閉機構は、前記引出位置にあった前記記録モジュールが前記筐体から離脱されたときに前記流路を閉塞するように構成されていることを特徴とする記録装置。
【請求項６】
前記筐体は、前記装着位置から前記引出位置に向かう引出方向に沿って延在する固定レールと、前記引出方向に沿って延在し且つ前記引出方向と平行な方向に移動可能に前記固定レールに支持された可動レールであって、前記記録モジュールを着脱可能に支持する可動レールと、前記引出方向と前記記録モジュールが前記可動レールに装着される装着方向との両方に直交する方向に沿った軸を中心として回動可能に前記可動レールに取り付けられた回動部材とを含み、
前記記録モジュールは、前記流路部材を押圧する押圧位置及び前記流路部材を押圧しない非押圧位置を選択的に取ることが可能な押圧部材であって、前記装着方向に沿って移動可能な押圧部材と、前記押圧部材を前記非押圧位置から前記押圧位置に向けて付勢する付勢部材とをさらに支持しており、
前記開閉機構は、
前記回動部材、前記押圧部材及び前記付勢部材を含み、
前記記録モジュールが前記装着位置にあるとき、及び、前記記録モジュールが前記引出位置にあるとき、前記回動部材が前記記録モジュールによって前記装着方向に押され、前記押圧部材が前記回動部材と接触することにより前記付勢部材の付勢力に抗して前記非押圧位置に配置されることで、前記流路を開放し、
前記記録モジュールが前記可動レールから離脱されるとき、前記回動部材に対する前記記録モジュールからの前記装着方向の押圧力が解除されるのに伴い、前記付勢部材の付勢により、前記回動部材が前記軸を中心として回動し、且つ、前記押圧部材が前記非押圧位置から前記押圧位置に移動することで、前記流路を閉塞するように構成されていることを特徴とする請求項５に記載の記録装置。
【請求項７】
前記筐体内に配置された電源と、
前記筐体に支持され、且つ、前記電源と電気的に接続され、前記電源から供給された電力を出力する電力出力端子とをさらに備えており、
前記記録モジュールは、前記液体吐出部における前記複数の吐出口が開口した吐出面を封止することが可能なキャップと、前記キャップが前記吐出面を封止する封止位置及び前記吐出面を封止しない非封止位置を選択的に取るように前記液体吐出部及び前記キャップの少なくとも一方を移動させるための移動機構と、前記移動機構と電気的に接続され、前記電力出力端子と電気的に接続したときに前記電力出力端子を介して入力される電力を前記移動機構に供給する電力入力端子とをさらに支持しており、
前記記録モジュールが前記装着位置にあるとき、前記電力入力端子が前記電力出力端子と電気的に接続し、前記記録モジュールが前記筐体から離脱した状態では、前記電力入力端子が前記電力出力端子と電気的に接続していないことを特徴とする請求項１〜６のいずれか一項に記載の記録装置。
【発明の詳細な説明】
【技術分野】
【０００１】
本発明は、記録装置に関し、特に記録モジュールが筐体に対して着脱可能に支持された記録装置に関する。
【背景技術】
【０００２】
特許文献１には、複数の印刷ユニット（記録モジュール）を着脱可能に支持するプリンタ装置（記録装置）が開示されている（段落００８１参照）。各印刷ユニットには、インクジェットヘッド（液体吐出部）が支持されている（段落００５８参照）。特許文献１の装置では、印刷ユニットの台数を増減することにより、装置全体としての印刷能力を調整することができる。
【先行技術文献】
【特許文献】
【０００３】
【特許文献１】特開２００５−５３０１６号公報
【発明の概要】
【発明が解決しようとする課題】
【０００４】
特許文献１において、各印刷ユニットに、インクジェットヘッドの他、ヘッドに供給されるインク（液体）を収容し且つ大気と連通した液体収容部が支持されていると仮定した場合、以下のような問題が生じ得る。即ち、特許文献１において、装置の筐体から離脱された印刷ユニットは、任意の姿勢を取ることができる。印刷ユニットが取る姿勢によっては、ヘッドと液体収容部との水頭差のバランスが崩れてしまい、ヘッドの吐出口から液体が漏れ出すことがある。同様の問題は、筐体に対して着脱可能な記録モジュールを１つだけ有する記録装置においても生じ得る。
【０００５】
本発明の目的は、筐体から離脱された記録モジュールにおいて吐出口から液体が漏れ出すのを抑制することができる記録装置を提供することである。
【課題を解決するための手段】
【０００６】
本発明に係る記録装置は、液体を吐出するための複数の吐出口を有する液体吐出部、前記液体吐出部に供給される液体を収容し且つ大気と連通した液体収容部、及び、前記液体収容部から前記液体吐出部に供給される液体の流路を形成する流路部材を支持する記録モジュールと、記録媒体を収容するための記録媒体収容部と、前記記録モジュールを着脱可能に支持する筐体と、前記筐体に設けられ、記録媒体を前記記録媒体収容部から前記記録モジュールへ搬送する搬送機構と、前記流路を選択的に開放し又は閉塞するように構成された開閉機構とを備えており、前記開閉機構は、前記記録モジュールが前記筐体に支持された状態において当該記録モジュールに記録媒体を供給可能に前記筐体に装着された装着位置にあるとき前記流路を開放し、前記記録モジュールが前記筐体から離脱した状態において前記流路を閉塞するように構成されていることを特徴とする。
【０００７】
本発明によれば、開閉機構により、筐体から離脱された記録モジュールにおいて吐出口から液体が漏れ出すのを抑制することができる。
【０００８】
本発明に係る記録装置は、前記筐体内に配置された電源と、前記筐体に支持され、且つ、前記電源と電気的に接続され、前記電源から供給された電力を出力する電力出力端子とをさらに備えており、前記記録モジュールは、前記液体吐出部における前記複数の吐出口が開口した吐出面を封止することが可能なキャップと、前記キャップが前記吐出面を封止する封止位置及び前記吐出面を封止しない非封止位置を選択的に取るように前記液体吐出部及び前記キャップの少なくとも一方を移動させるための移動機構と、前記移動機構と電気的に接続され、前記電力出力端子と電気的に接続したときに前記電力出力端子を介して入力される電力を前記移動機構に供給する電力入力端子とをさらに支持しており、前記記録モジュールが前記装着位置にあるとき、前記電力入力端子が前記電力出力端子と電気的に接続し、前記記録モジュールが前記筐体から離脱した状態では、前記電力入力端子が前記電力出力端子と電気的に接続しなくてよい。
【０００９】
上記構成によれば、記録媒体のジャムが生じた場合、通常、キャップは非封止位置にある。この場合に記録モジュールを筐体から離脱させてジャム処理を行おうとすると、電力入力端子が電力出力端子と電気的に接続せず、移動機構に電力が供給されない状態になる。そのため、キャップを非封止位置から封止位置に切り替えることができず、水頭差のバランスが崩れて吐出口から漏れ出した液体が記録モジュール内に飛散するという問題が生じ得る。しかし本発明では、開閉機構を設けたことにより、当該問題を抑制することができる。
【００１０】
前記記録モジュールは、前記液体吐出部を支持し且つ前記搬送機構によって前記液体吐出部に向けて記録媒体が搬送される方向である搬送方向と直交する直交方向に前記液体吐出部を移動させるためのキャリッジをさらに支持しており、前記流路部材は、前記液体吐出部に接続され且つ前記液体吐出部が前記直交方向に移動するときに変位する変位部分と、前記液体収容部に接続され且つ前記液体吐出部が前記直交方向に移動するときに変位しない固定部分とを有し、前記開閉機構は、前記固定部分において前記流路を閉塞してよい。
【００１１】
上記構成によれば、変位部分において流路を閉塞する場合に比べ、流路部材の劣化を防止することができる。
【００１２】
前記開閉機構は、前記流路を開放する開放位置及び前記流路を閉塞する閉塞位置を選択的に取ることが可能な移動部材を有し、前記移動部材は、前記記録モジュールが前記装着位置にあるとき前記開放位置を取り、前記記録モジュールが前記筐体から離脱した状態において前記閉塞位置を取るように構成されてよい。
【００１３】
上記構成によれば、比較的簡単な構成で開閉機構を実現することができる。
【００１４】
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、前記開閉機構は、前記装着位置にあった前記記録モジュールが前記引出位置に到達したときに前記流路を閉塞するように構成されてよい。
【００１５】
上記構成によれば、ユーザが記録モジュールを筐体から離脱させようとするときには流路が既に閉塞されているため、液体漏れをより確実に抑制することができる。また、開閉機構として、装着位置と引出位置との間の距離（ストローク）を利用した比較的簡単な機構を採用することができる。
【００１６】
前記筐体は、前記装着位置から前記引出位置に向かう引出方向に沿って延在し且つ前記引出方向に対して傾斜した傾斜面を有する傾斜部材を含み、前記記録モジュールは、前記流路部材を押圧する押圧位置及び前記流路部材を押圧しない非押圧位置を選択的に取ることが可能な押圧部材であって、前記引出方向に沿った軸を中心として回動可能な押圧部材と、前記押圧部材を前記非押圧位置から前記押圧位置に向けて付勢する付勢部材とをさらに支持しており、前記開閉機構は、前記傾斜部材、前記押圧部材及び前記付勢部材を含み、前記記録モジュールが前記装着位置にあるとき、前記押圧部材が前記傾斜部材の前記傾斜面と接触することにより前記付勢部材の付勢力に抗して前記非押圧位置に配置されることで、前記流路を開放し、前記記録モジュールが前記装着位置から前記引出位置に移動するとき、前記押圧部材が、前記傾斜部材の前記傾斜面に沿って移動して前記軸を中心として回動し、前記非押圧位置から前記押圧位置に移動することで、前記流路を閉塞するように構成されてよい。
【００１７】
上記構成によれば、比較的簡単な構成で開閉機構を実現することができる。
【００１８】
前記記録モジュールは、前記筐体に支持された状態において、前記装着位置と、当該記録モジュールの前記筐体に対する移動経路に沿って前記装着位置から離れた引出位置との間で移動可能であり、前記装着位置から前記引出位置を経由して前記筐体から離脱され、前記開閉機構は、前記引出位置にあった前記記録モジュールが前記筐体から離脱されたときに前記流路を閉塞するように構成されてよい。
【００１９】
上記構成によれば、開閉機構として、記録モジュール自体の重量や記録モジュールの装着動作に係る荷重を利用した比較的簡単な機構を採用することができる。
【００２０】
前記筐体は、前記装着位置から前記引出位置に向かう引出方向に沿って延在する固定レールと、前記引出方向に沿って延在し且つ前記引出方向と平行な方向に移動可能に前記固定レールに支持された可動レールであって、前記記録モジュールを着脱可能に支持する可動レールと、前記引出方向と前記記録モジュールが前記可動レールに装着される装着方向との両方に直交する方向に沿った軸を中心として回動可能に前記可動レールに取り付けられた回動部材とを含み、前記記録モジュールは、前記流路部材を押圧する押圧位置及び前記流路部材を押圧しない非押圧位置を選択的に取ることが可能な押圧部材であって、前記装着方向に沿って移動可能な押圧部材と、前記押圧部材を前記非押圧位置から前記押圧位置に向けて付勢する付勢部材とをさらに支持しており、前記開閉機構は、前記回動部材、前記押圧部材及び前記付勢部材を含み、前記記録モジュールが前記装着位置にあるとき、及び、前記記録モジュールが前記引出位置にあるとき、前記回動部材が前記記録モジュールによって前記装着方向に押され、前記押圧部材が前記回動部材と接触することにより前記付勢部材の付勢力に抗して前記非押圧位置に配置されることで、前記流路を開放し、前記記録モジュールが前記可動レールから離脱されるとき、前記回動部材に対する前記記録モジュールからの前記装着方向の押圧力が解除されるのに伴い、前記付勢部材の付勢により、前記回動部材が前記軸を中心として回動し、且つ、前記押圧部材が前記非押圧位置から前記押圧位置に移動することで、前記流路を閉塞するように構成されてよい。
【００２１】
上記構成によれば、比較的簡単な構成で開閉機構を実現することができる。
【発明の効果】
【００２２】
本発明によれば、開閉機構により、筐体から離脱された記録モジュールにおいて吐出口から液体が漏れ出すのを抑制することができる。
【図面の簡単な説明】
【００２３】
【図１】本発明の第１実施形態に係るインクジェットプリンタの内部を示す側面図である。
【図２】（ａ）は、本発明の第１実施形態に係るインクジェットプリンタに含まれる記録モジュールの内部を示す平面図である。（ｂ）は、記録モジュールの内部を示す正面図である。（ｃ）は、記録モジュールの内部を示す側面図である。
【図３】本発明の第１実施形態に係るインクジェットプリンタの電気的構成を示すブロック図である。
【図４】１の記録モジュールが引出位置にある状態を示す斜視図である。
【図５】１の記録モジュールが引出位置にある状態を示す、図４と反対側から見た斜視図である。
【図６】（ａ）は、図５において引出位置にある記録モジュールを示す部分側面図である。（ｂ）は、図６（ａ）のＶＩＢ−ＶＩＢ線に沿った部分断面図である。
【図７】（ａ）は、図６（ｂ）のＶＩＩＡ−ＶＩＩＡ線に沿った部分断面図である。（ｂ）は、図６（ｂ）のＶＩＩＢ−ＶＩＩＢ線及び図７（ａ）のＶＩＩＢ−ＶＩＩＢ線に沿った部分断面図である。（ｃ）は、記録モジュールが装着位置にあるときの状態を示す、図７（ａ）に対応する部分断面図である。（ｄ）は、記録モジュールが装着位置にあるときの状態を示す、図７（ｃ）のＶＩＩＤ−ＶＩＩＤ線に沿った、図７（ｂ）に対応する部分断面図である。
【図８】本発明の第２実施形態に係るインクジェットプリンタにおいて、筐体から離脱された１の記録モジュールが筐体に支持されようとする状況を示す側面図である。
【図９】（ａ）は、当該記録モジュールが筐体に支持された状態を示す、図９（ｂ）のＩＸＡ−ＩＸＡ線に沿った部分断面図である。（ｂ）は、図９（ａ）のＩＸＢ−ＩＸＢ線に沿った部分断面図である。（ｃ）は、当該記録モジュールが筐体から離脱した状態にあるときの、図９（ｂ）のＩＸＣＢ−ＩＸＣ線に沿った部分断面図である。
【発明を実施するための形態】
【００２４】
本発明の第１実施形態に係るインクジェットプリンタ（以下、単に「プリンタ」という。）１は、図１に示すように、直方体形状の筐体１ａと、筐体１ａの一側面に設けられたカバー１ｂとを含む。筐体１ａ内には、搬送機構２０及び制御ユニット１００が配置されている。筐体１ａの天板上部には、用紙受容部４が設けられている。また、筐体１ａには、記録モジュール５０ａ〜５０ｃ及び用紙収容部３がそれぞれ移動可能且つ着脱可能に支持されている。
【００２５】
用紙収容部３及び用紙受容部４は、葉書サイズ、Ａ６サイズ、Ａ４サイズ、レターサイズ、及びＡ３サイズを含む複数種類のサイズの用紙Ｐを、それぞれ複数枚収容及び受容可能である。用紙収容部３は、本発明に係る「記録媒体（用紙Ｐ）を収容するための記録媒体収容部」に該当する。
【００２６】
搬送機構２０は、用紙Ｐを用紙収容部３から各記録モジュール５０ａ〜５０ｃを経由させて用紙受容部４まで搬送するように構成されており、上流搬送機構２０ｘ及び下流搬送機構２０ｙを含む。上流搬送機構２０ｘが、本発明に係る「搬送機構」に該当する。
【００２７】
上流搬送機構２０ｘは、用紙Ｐを用紙収容部３から各記録モジュール５０ａ〜５０ｃまで搬送するように構成されており、給紙ローラ２１、ローラ対２２ａ〜２２ｆ、ガイド２３ａ〜２３ｇ及び切替部２８ａ，２８ｂを含む。給紙ローラ２１は、用紙収容部３内で最も上方にある用紙Ｐの表面と接触するように配置されている。各ローラ対２２ａ〜２２ｆは、互いに接触する２つのローラを含む。給紙ローラ２１、及び、各ローラ対２２ａ〜２２ｆのうちの一方のローラは、制御ユニット１００による制御の下、上流搬送モータ２０ｘＭ（図３参照）の駆動により回転する駆動ローラである。各ローラ対２２ａ〜２２ｆのうち他方のローラは、上記一方のローラの回転に伴って回転する従動ローラである。各ローラ対２２ａ〜２２ｆにおいて、一方のローラ及び他方のローラは、用紙Ｐを挟持しつつ互いに逆方向に回転する。各ガイド２３ａ〜２３ｇは、その厚み方向に互いに離隔した一対のガイド板を含む。各ガイド２３ａ〜２３ｇの一対のガイド板間の空間、及び、各ローラ対２２ａ〜２２ｆのローラ同士の接触点によって、経路Ｒ１ｘ〜Ｒ３ｘを含む上流経路が形成されている。
【００２８】
各経路Ｒ１ｘ〜Ｒ３ｘは、用紙収容部３から各記録モジュール５０ａ〜５０ｃのモジュール内経路Ｒａ〜Ｒｃの上流端部まで延在している。経路Ｒ１ｘ，Ｒ２ｘは、用紙収容部３から分岐位置Ａ１まで互いに共通の部分を有し、分岐位置Ａ１において分岐して、互いに異なる記録モジュール５０ａ，５０ｂに向かう。経路Ｒ２ｘ，Ｒ３ｘは、用紙収容部３から分岐位置Ａ２まで互いに共通の部分を有し、分岐位置Ａ２において分岐して、互いに異なる記録モジュール５０ｂ，５０ｃに向かう。
【００２９】
また、各経路に着目すると、経路Ｒ１ｘは、２つの分岐位置Ａ１，Ａ２を含み、且つ、用紙収容部３から分岐位置Ａ２までの経路Ｒ２ｘ，Ｒ３ｘと共有される共通部分と、分岐位置Ａ２から分岐位置Ａ１までの経路Ｒ２ｘと共有される共通部分と、分岐位置Ａ１から記録モジュール５０ａまでの他のいずれの経路とも共有されない個別部分とを含む。経路Ｒ２ｘは、２つの分岐位置Ａ１，Ａ２を含み、且つ、用紙収容部３から分岐位置Ａ２までの経路Ｒ１ｘ，Ｒ３ｘと共有される共通部分と、分岐位置Ａ２から分岐位置Ａ１までの経路Ｒ１ｘと共有される共通部分と、分岐位置Ａ１から記録モジュール５０ｂまでの他のいずれの経路とも共有されない個別部分とを含む。経路Ｒ３ｘは、１つの分岐位置Ａ２を含み、且つ、用紙収容部３から分岐位置Ａ２までの経路Ｒ１ｘ，Ｒ２ｘと共有される共通部分と、分岐位置Ａ２から記録モジュール５０ｃまでの他のいずれの経路とも共有されない個別部分とを含む。
【００３０】
切替部２８ａ，２８ｂは、それぞれ、分岐位置Ａ１，Ａ２において用紙Ｐの搬送先を切り替えるためのものである。具体的には、切替部２８ａは、分岐位置Ａ１において用紙Ｐの搬送先を経路Ｒ１ｘの個別部分と経路Ｒ２ｘの個別部分とのいずれかに切り替えるように構成されている。切替部２８ｂは、分岐位置Ａ２において用紙Ｐの搬送先を経路Ｒ１ｘ，Ｒ２ｘの共通部分と経路Ｒ３ｘの個別部分とのいずれかに切り替えるように構成されている。
【００３１】
切替部２８ａ，２８ｂは、それぞれ、揺動部材２８ａ１，２８ｂ１及び切替モータ２８ａＭ，２８ｂＭ（図３参照）を含む。揺動部材２８ａ１，２８ｂ１は、それぞれ、軸２８ａｘ，２８ｂｘを中心として揺動可能であり、制御ユニット１００による制御の下、切替モータ２８ａＭ，２８ｂＭが駆動されることで、図１に実線で示す鉛直位置及び図１に点線で示す傾斜位置を選択的に取ることが可能である。
【００３２】
揺動部材２８ａ１が鉛直位置にあるとき、分岐位置Ａ１において、経路Ｒ１ｘの個別部分は開放され、経路Ｒ２ｘの個別部分は閉塞される。したがって、用紙収容部３から分岐位置Ａ１まで搬送された用紙Ｐは、経路Ｒ１ｘの個別部分に導かれ、記録モジュール５０ａに向けて搬送される。揺動部材２８ａ１が傾斜位置にあるとき、分岐位置Ａ１において、経路Ｒ１ｘの個別部分は閉塞され、経路Ｒ２ｘの個別部分は開放される。したがって、用紙収容部３から分岐位置Ａ１まで搬送された用紙Ｐは、経路Ｒ２ｘの個別部分に導かれ、記録モジュール５０ｂに向けて搬送される。
【００３３】
揺動部材２８ｂ１が鉛直位置にあるとき、分岐位置Ａ２において、経路Ｒ１ｘ，Ｒ２ｘの共通部分は開放され、経路Ｒ３ｘの個別部分は閉塞される。したがって、用紙収容部３から分岐位置Ａ２まで搬送された用紙Ｐは、経路Ｒ１ｘ，Ｒ２ｘの共通部分に導かれ、分岐位置Ａ１に向けて搬送される。揺動部材２８ｂ１が傾斜位置にあるとき、分岐位置Ａ２において、経路Ｒ１ｘ，Ｒ２ｘの共通部分は閉塞され、経路Ｒ３ｘの個別部分は開放される。したがって、用紙収容部３から分岐位置Ａ２まで搬送された用紙Ｐは、経路Ｒ３ｘの個別部分に導かれ、記録モジュール５０ｃに向けて搬送される。
【００３４】
各経路Ｒ１ｘ〜Ｒ３ｘの個別部分に対向する位置に、用紙センサ６ａ〜６ｃが配置されている。各用紙センサ６ａ〜６ｃは、検知位置６ａｘ〜６ｃｘにおける用紙Ｐの有無を示す信号を出力するものであり、当該検知位置６ａｘ〜６ｃｘに用紙Ｐが有るときにＯＮ信号、用紙Ｐが無いときにＯＦＦ信号を出力する。各検知位置６ａｘ〜６ｃｘは、当該経路Ｒ１ｘ〜Ｒ３ｘの個別部分の下流端部に定められている。
【００３５】
下流搬送機構２０ｙは、各記録モジュール５０ａ〜５０ｃから搬送された用紙Ｐを用紙受容部４まで搬送するように構成されており、ローラ対２５ａ〜２５ｄ及びガイド２６ａ〜２６ｄを含む。各ローラ対２５ａ〜２５ｄは、互いに接触する２つのローラを含む。各ローラ対２５ａ〜２５ｄのうちの一方のローラは、制御ユニット１００による制御の下、下流搬送モータ２０ｙＭ（図３参照）の駆動により回転する駆動ローラである。各ローラ対２５ａ〜２５ｄのうち他方のローラは、上記一方のローラの回転に伴って回転する従動ローラである。各ローラ対２５ａ〜２５ｄにおいて、一方のローラ及び他方のローラは、用紙Ｐを挟持しつつ互いに逆方向に回転する。各ガイド２６ａ〜２６ｄは、その厚み方向に互いに離隔した一対のガイド板を含む。各ガイド２６ａ〜２６ｄの一対のガイド板間の空間、及び、各ローラ対２５ａ〜２５ｄのローラ同士の接触点によって、経路Ｒ１ｙ〜Ｒ３ｙを含む下流経路が形成されている。
【００３６】
各経路Ｒ１ｙ〜Ｒ３ｙは、各記録モジュール５０ａ〜５０ｃのモジュール内経路Ｒａ〜Ｒｃの下流端部から用紙受容部４まで延在している。経路Ｒ１ｙ，Ｒ２ｙは、互いに異なる記録モジュール５０ａ，５０ｂから延在し、合流位置Ｂ１において合流して、合流位置Ｂ１から用紙受容部４まで互いに共通の部分を有する。経路Ｒ２ｙ，Ｒ３ｙは、互いに異なる記録モジュール５０ｂ，５０ｃから延在し、合流位置Ｂ２において合流して、合流位置Ｂ２から用紙受容部４まで互いに共通の部分を有する。
【００３７】
また、各経路に着目すると、経路Ｒ１ｙは、１つの合流位置Ｂ１を含み、且つ、記録モジュール５０ａから合流位置Ｂ１までの他のいずれの経路とも共有されない個別部分と、合流位置Ｂ１から用紙受容部４までの経路Ｒ２ｙ，Ｒ３ｙと共有される共通部分とを含む。経路Ｒ２ｙは、２つの合流位置Ｂ１，Ｂ２を含み、且つ、記録モジュール５０ｂから合流位置Ｂ２までの他のいずれの経路とも共有されない個別部分と、合流位置Ｂ２から合流位置Ｂ１までの経路Ｒ３ｙと共有される共通部分と、合流位置Ｂ１から用紙受容部４までの経路Ｒ１ｙ，Ｒ３ｙと共有される共通部分とを含む。経路Ｒ３ｙは、２つの合流位置Ｂ１，Ｂ２を含み、且つ、記録モジュール５０ｃから合流位置Ｂ２までの他のいずれの経路とも共有されない個別部分と、合流位置Ｂ２から合流位置Ｂ１までの経路Ｒ２ｙと共有される共通部分と、合流位置Ｂ１から用紙受容部４までの経路Ｒ１ｙ，Ｒ２ｙと共有される共通部分とを含む。
【００３８】
カバー１ｂは、鉛直方向に沿った軸１ｂｘを中心として筐体１ａに対して移動可能（回動可能）に取り付けられており、記録モジュール５０ａ〜５０ｃを筐体１ａの外部に露出させて記録モジュール５０ａ〜５０ｃを筐体１ａに対して移動可能とする開位置（図１に一点鎖線で示す位置）、及び、記録モジュール５０ａ〜５０ｃを覆って記録モジュール５０ａ〜５０ｃを筐体１ａに対して移動不能とする閉位置（図１に実線で示す位置）を選択的に取ることが可能である。記録モジュール５０ａ〜５０ｃの筐体１ａに対する移動や着脱は、カバー１ｂを開位置に保持した状態で行われる。鉛直方向において、カバー１ｂの長さＨｂは、記録モジュール５０ａ〜５０ｃ全体の長さＨ以上である。また、カバー１ｂには、下流搬送機構２０ｙの構成要素のうちローラ対２５ｄを除く構成要素が設けられている。
【００３９】
記録モジュール５０ａ〜５０ｃは、鉛直方向に並んで配置されている。換言すると、筐体１ａは、記録モジュール５０ａ〜５０ｃを鉛直方向に並列に支持している。鉛直方向において、記録モジュール５０ａ〜５０ｃのうち、記録モジュール５０ａが、用紙収容部３から最も遠く且つ用紙受容部４に最も近い位置にある。鉛直方向において、記録モジュール５０ａ〜５０ｃのうち、記録モジュール５０ｃが、用紙収容部３に最も近く且つ用紙受容部４から最も遠い位置にある。
【００４０】
なお、本実施形態において、鉛直方向は、主走査方向及び副走査方向と直交する方向である。副走査方向は、水平面に平行で、且つ、経路Ｒ１ｘ〜Ｒ３ｘの下流部分、モジュール内経路Ｒａ〜Ｒｃ、及び経路Ｒ１ｙ〜Ｒ３ｙの上流部分と平行な方向である。主走査方向は、水平面に平行で、且つ、副走査方向と直交する方向である。
【００４１】
記録モジュール５０ａ〜５０ｃは、互いに同じ構成であり、それぞれ、モジュール筐体５と、モジュール筐体５内に収容された、インクジェットヘッド（以下、単に「ヘッド」という。）５１、キャリッジ５２、キャリッジ移動機構５２ｘ、モジュール搬送機構５３、プラテン５４、キャップ５５、インク収容部５７、基板５８及びチューブ５９とを含む（図１及び図２（ａ）〜（ｃ）参照）。
【００４２】
ヘッド５１は、本発明に係る「液体吐出部」に該当する。ヘッド５１は、シリアル式であって、キャリッジ５２を介して筐体１ａに支持されている。ヘッド５１の上面はキャリッジ５２に固定されており、ヘッド５１の下面は複数の吐出口５１ｂ（図２（ａ）参照）が開口した吐出面５１ａである。制御ユニット１００による制御の下、吐出口５１ｂから所望タイミングでインクが吐出されることで、用紙Ｐに画像が記録される。なお、図２（ａ）では、キャリッジ５２の下方にあって点線で示すべき吐出口５１ｂを実線で描いている。
【００４３】
キャリッジ移動機構５２ｘは、図２（ａ）〜（ｃ）に示すように、ガイド５２ｇ１，５２ｇ２、プーリ５２ｐ１，５２ｐ２、ベルト５２ｂ及びキャリッジモータ５２Ｍを含む。ガイド５２ｇ１，５２ｇ２は、鉛直方向から見て矩形の形状を有し、副走査方向に互いに離隔している。ガイド５２ｇ１，５２ｇ２は、ヘッド５１の上部を挟み、且つ、キャリッジ５２の副走査方向両端を主走査方向にスライド可能に支持している。プーリ５２ｐ１，５２ｐ２は、ガイド５２ｇ２の主走査方向一端及び他端にそれぞれ回転可能に支持されている。プーリ５２ｐ１，５２ｐ２は、直径が互いに同じであり、副走査方向に関して互いに同じ位置に配置されている。ベルト５２ｂは、プーリ５２ｐ１，５２ｐ２に架け渡されたエンドレスベルトであり、プーリ５２ｐ１，５２ｐ２の回転に伴って走行する。キャリッジ５２は、ベルト５２ｂに固定されている。キャリッジモータ５２Ｍは、鉛直方向に長尺な円柱形状を有し、ガイド５２ｇ２の下面に固定されている。キャリッジモータ５２Ｍの回転軸は、プーリ５２ｐ１に取り付けられており、鉛直方向に延在している。プーリ５２ｐ１は、駆動プーリであり、制御ユニット１００による制御の下、キャリッジモータ５２Ｍの駆動により正逆回転する。これに伴い、ベルト５２ｂが走行する。プーリ５２ｐ２は、従動プーリであり、ベルト５２ｂの走行に伴って回転する。このようなキャリッジ移動機構５２ｘの各部の動作に伴い、キャリッジ５２がヘッド５１を支持しつつ主走査方向に往復移動する。
【００４４】
モジュール搬送機構５３は、用紙Ｐをモジュール内経路Ｒａ〜Ｒｃに沿って搬送方向Ｄ（副走査方向と平行な方向）に間欠的に搬送するように構成されており、ローラ対５３ａ，５３ｂ及びモジュール搬送モータ５３Ｍ（図３参照）を含む。ローラ対５３ａは、ヘッド５１よりも搬送方向Ｄの上流に配置されている。ローラ対５３ｂは、ヘッド５１よりも搬送方向Ｄの下流に配置されている。各ローラ対５３ａ，５３ｂは、互いに接触する２つのローラを含む。各ローラ対５３ａ，５３ｂのうちの一方のローラは、制御ユニット１００による制御の下、モジュール搬送モータ５３Ｍの駆動により回転する駆動ローラである。各ローラ対５３ａ，５３ｂのうちの他方のローラは、上記一方のローラの回転に伴って回転する従動ローラである。各ローラ対５３ａ，５３ｂにおいて、一方のローラ及び他方のローラは、用紙Ｐを挟持しつつ互いに逆方向に回転する。これにより、用紙Ｐが搬送方向Ｄに搬送される。各ローラ対５３ａ，５３ｂのローラ同士の接触点によって、吐出面５１ａと対向する位置を通過するように、モジュール内経路Ｒａ〜Ｒｃが形成されている。
【００４５】
プラテン５４は、ローラ対５３ａ，５３ｂの間であって、吐出面５１ａと対向する位置に配置されている。プラテン５４の上面は、用紙Ｐを支持するための支持面５４ａであり、吐出面５１ａとの間に記録に適した間隙を形成している。
【００４６】
ローラ対５３ａ，５３ｂ及びプラテン５４は、一対のフランジ５６によって支持されている。一対のフランジ５６は、副走査方向に延在し、主走査方向に互いに離隔している。
【００４７】
キャップ５５は、図２（ａ）に示すように、ヘッド５１のキャッピング位置（キャリッジ５２によるヘッド５１の可動範囲における主走査方向一端）の下方に配置されており、吐出面５１ａを封止することが可能な凹状の部材である。キャップ５５によって吐出面５１ａが封止されることで、吐出口５１ｂ近傍の乾燥が防止され、吐出性能の悪化が抑制される。制御ユニット１００は、例えば記録指令を所定時間以上受信しない場合に、キャリッジ移動機構５２ｘを駆動させ、ヘッド５１をキャッピング位置に配置する。このときキャップ５５は封止位置（吐出面５１ａを封止する位置）を取る。また、制御ユニット１００は、キャップ５５が封止位置にあるときに記録指令を受信した場合、キャリッジ移動機構５２ｘを駆動させ、ヘッド５１をキャッピング位置から退避させて主走査方向に往復移動させる。このときキャップ５５は吐出面５１ａを封止しない非封止位置を取る。つまり、キャリッジ移動機構５２ｘは、本発明に係る「キャップ５５が封止位置及び非封止位置を選択的に取るようにヘッド５１及びキャップ５５の少なくとも一方を移動させるための移動機構」に該当する。
【００４８】
インク収容部５７は、インクを収容し、且つ、大気と連通している。インク収容部５７内に収容されたインクは、制御ユニット１００による制御の下、インク供給ポンプ５７Ｐ（図２（ａ）及び図３参照）の駆動により、チューブ５９を介してヘッド５１に供給される。インク収容部５７は、本発明に係る「液体収容部」に該当する。
【００４９】
基板５８には、メモリ５８Ｍ（図３参照）が実装されている。メモリ５８Ｍは、当該記録モジュール５０ａ〜５０ｃ独自の情報（製造年月日等）を記憶してよい。
【００５０】
チューブ５９は、インク収容部５７とヘッド５１とを連通させ、インク収容部５７からヘッド５１に供給されるインクの流路５９ｘ（図７（ａ）〜（ｄ）参照）を形成している。チューブ５９は、本発明に係る「流路部材」に該当する。チューブ５９は、図２（ａ）に示すように、ガイド５２ｇ１の側面にある固定部に固定具５９ｆによって固定されており、固定部からヘッド５１に向かって延在する変位部分５９ａと、固定部からインク収容部５７に向かって延在する固定部分５９ｂとを有する。変位部分５９ａは、ヘッド５１に接続されており、ヘッド５１が主走査方向（搬送方向Ｄと直交する直交方向）に移動するときに変位する。固定部分５９ｂは、インク収容部５７に接続されており、ヘッド５１が主走査方向に移動するときに変位しない。
【００５１】
流路５９ｘは、後に詳述する開閉機構６０によって、開放又は閉塞される。固定部分５９ｂの上方に、開閉機構６０の押圧部材６５が配置されている。
【００５２】
モジュール筐体５は、図４及び図５に示すように、４つの側壁５ｗ１〜５ｗ４、上壁５ｗ５及び下壁５ｗ６を有する。記録モジュール５０ａ〜５０ｃが筐体１ａに支持された状態において、側壁５ｗ１，５ｗ２は鉛直方向及び主走査方向に延在し、側壁５ｗ３，５ｗ４は鉛直方向及び副走査方向に延在し、上壁５ｗ５及び下壁５ｗ６は水平方向に延在する。また、側壁５ｗ１はローラ対５３ａよりも搬送方向Ｄの下流に配置され、側壁５ｗ２はローラ対５３ａよりも搬送方向Ｄの上流に配置されている。
【００５３】
記録モジュール５０ａ〜５０ｃは、個別に、筐体１ａに対して搬送方向Ｄに沿って移動可能であり、さらに筐体１ａに対して着脱可能である。記録モジュール５０ａ〜５０ｃの筐体１ａに対する移動や着脱は、例えばジャム処理、記録モジュール５０ａ〜５０ｃそのもの又はその構成部品（インク収容部５７や基板５８）の交換等の際に、ユーザによって行われる。
【００５４】
各記録モジュール５０ａ〜５０ｃは、筐体１ａに支持された状態において、経路Ｒ１ｘ〜Ｒ３ｘからモジュール内経路Ｒａ〜Ｒｃに用紙Ｐを供給可能に筐体１ａに装着された装着位置（図１に実線で示す位置。図４及び図５の記録モジュール５０ａ，５０ｂ参照）と、搬送方向Ｄと平行な移動経路Ｒｘａ〜Ｒｘｃに沿って装着位置から搬送方向Ｄに最も離れた引出位置（図１に一点鎖線で示す位置。図４及び図５の記録モジュール５０ｃ参照）との間で移動可能である。記録モジュール５０ａ〜５０ｃが装着位置にあるとき、ローラ対５３ａ，５３ｂは共に筐体１ａの内部に配置されており、記録モジュール５０ａ〜５０ｃが引出位置にあるとき、ローラ対５３ａ，５３ｂは共に筐体１ａの外部に配置されている。各記録モジュール５０ａ〜５０ｃは、搬送方向Ｄにおいて図１に一点鎖線で示す開位置にあるカバー１ｂの領域内で移動可能であり、引出位置にあるとき、開位置にあるカバー１ｂよりも搬送方向Ｄの下流に突出しない。
【００５５】
なお、各記録モジュール５０ａ〜５０ｃの筐体１ａに対する移動及び着脱は、それぞれ、規制を解除して行われる。
【００５６】
各記録モジュール５０ａ〜５０ｃの筐体１ａに対する搬送方向Ｄに沿った移動は、各記録モジュール５０ａ〜５０ｃの側壁５ｗ３，５ｗ４に設けられた一対の可動部材５ｘ（図４及び図５参照）と、筐体１ａに記録モジュール５０ａ〜５０ｃ毎に設けられた一対の位置規制部１ｘ（図８参照）との当接によって、規制される。当該規制は、側壁５ｗ１に設けられた一対の移動規制解除部材５ｚを搬送方向Ｄに引っ張ることで、解除される。各可動部材５ｘは、側壁５ｗ３，５ｗ４と直交する方向に沿った軸５ｘａを中心として回動可能であり、軸５ｘａが設けられた一端とは反対側の他端に、側壁５ｗ３，５ｗ４と直交する方向に突出した突起５ｘｂを有する。突起５ｘｂと位置規制部１ｘの突起１ｘｂとが搬送方向Ｄに対向しつつ当接することで、記録モジュール５０ａ〜５０ｃの筐体１ａに対する搬送方向Ｄに沿った移動が規制される。移動規制解除部材５ｚが搬送方向Ｄに引っ張られると、可動部材５ｘが軸５ｘａを中心として回動し、突起５ｘｂが突起１ｘｂから離隔し且つ突起１ｘｂと搬送方向Ｄに対向しない状態となり、記録モジュール５０ａ〜５０ｃの筐体１ａに対する搬送方向Ｄに沿った移動の規制が解除される。このようにして規制が解除された状態で、記録モジュール５０ａ〜５０ｃを搬送方向Ｄに移動させることによって記録モジュール５０ａ〜５０ｃが筐体１ａから引き出され、また、記録モジュール５０ａ〜５０ｃを搬送方向Ｄと反対の方向に移動させることによって記録モジュール５０ａ〜５０ｃが筐体１ａ内に収容される。筐体１ａから引き出された記録モジュール５０ａ〜５０ｃが筐体１ａ内に収容され、記録モジュール５０ａ〜５０ｃが装着位置に到達すると、可動部材５ｘは、再び突起５ｘｂと突起１ｘｂとが搬送方向Ｄに対向しつつ当接する位置に配置される。
【００５７】
各記録モジュール５０ａ〜５０ｃは、筐体１ａに記録モジュール５０ａ〜５０ｃ毎に設けられた一対の可動レール１ｌによって側壁５ｗ３，５ｗ４が支持された状態で、筐体１ａに対して移動する（図４、図５及び図６（ａ）参照）。
【００５８】
筐体１ａには、記録モジュール５０ａ〜５０ｃ毎に、上記一対の可動レール１ｌと、一対の固定レール１ｍとが設けられている。各固定レール１ｍは、搬送方向Ｄ（装着位置から引出位置に向かう引出方向）に沿って延在し、筐体１ａに固定されている。各可動レール１ｌは、搬送方向Ｄに沿って延在し、且つ、搬送方向Ｄと平行な方向に移動可能に固定レール１ｍに支持されている。記録モジュール５０ａ〜５０ｃが筐体１ａに対して移動するとき、可動レール１ｌは、記録モジュール５０ａ〜５０ｃを支持しながら固定レール１ｍに対して移動する。
【００５９】
各記録モジュール５０ａ〜５０ｃの筐体１ａに対する着脱は、側壁５ｗ３，５ｗ４の一方に設けられた係合部材が、一対の可動レール１ｌのうち当該一方の側壁と対向する一方の可動レール１ｌに設けられた穴に係合することによって、規制される（図示略）。換言すると、各記録モジュール５０ａ〜５０ｃは、一対の可動レール１ｌに着脱可能に支持されている。当該規制は、係合部材を穴から退避させることで、解除される。
【００６０】
なお、各記録モジュール５０ａ〜５０ｃの側壁５ｗ１及び上壁５ｗ５には、図４に示すように、開口５ａ，５ｂが設けられている。ジャム処理の際、ユーザは、記録モジュール５０ａ〜５０ｃを引出位置に配置し、又は、記録モジュール５０ａ〜５０ｃを筐体１ａから離脱させて、ジャムした用紙Ｐを開口５ａ，５ｂからモジュール筐体５外に取り出すことができる。
【００６１】
また、各記録モジュール５０ａ〜５０ｃの側壁５ｗ２には、図５に示すように、コネクタ５ｐ及び一対の凹部５ｑが設けられている。筐体１ａには、記録モジュール５０ａ〜５０ｃ毎に、装着位置にある記録モジュールの側壁５ｗ２と対向する対向部１ａｘが設けられている。各対向部１ａｘには、コネクタ１ｐ及び一対の凸部（図示略）が設けられている。当該一対の凸部が一対の凹部５ｑに挿入されることで、記録モジュール５０ａ〜５０ｃが筐体１ａに対して鉛直方向及び主走査方向に位置決めされる。
【００６２】
コネクタ１ｐには、図３に示す電力出力端子１ｐ１及び接点１ｐ２が設けられている。コネクタ５ｐには、電力入力端子５ｐ１及び接点５ｐ２が設けられている。電力出力端子１ｐ１は、筐体１ａ内に配置された電源１５０と電気的に接続されており、電源１５０から供給された電力を出力する。電力入力端子５ｐ１は、記録モジュール５０ａ〜５０ｃにおいて電力供給が必要な要素（ヘッド５１、キャリッジモータ５２Ｍ、モジュール搬送モータ５３Ｍ、インク供給ポンプ５７Ｐ及びメモリ５８Ｍ）と電気的に接続されており、電力出力端子１ｐ１と電気的に接続したときに電力出力端子１ｐ１を介して入力される電力を上記要素に供給する。
【００６３】
記録モジュール５０ａ〜５０ｃが装着位置にあるとき、コネクタ１ｐ，５ｐが係合している。このとき、電力出力端子１ｐ１と電力入力端子５ｐ１とが互いに接触して電気的に接続しており、電源１５０から電力出力端子１ｐ１及び電力入力端子５ｐ１を介して上記各要素に電力が供給されている。またこのとき、接点１ｐ２，５ｐ２同士が互いに接触して電気的に接続しており、記録モジュール５０ａ〜５０ｃと筐体１ａ内の制御ユニット１００との間での信号の送受信が可能となっている。
【００６４】
記録モジュール５０ａ〜５０ｃが装着位置から引出位置に移動するとき、コネクタ１ｐ，５ｐの係合が解除される。このとき、電力出力端子１ｐ１と電力入力端子５ｐ１とが互いに離隔し、電力出力端子１ｐ１と電力入力端子５ｐ１との電気的接続が解除されることで、上記各要素に電力が供給されなくなる。またこのとき、接点１ｐ２，５ｐ２が互いに離隔し、記録モジュール５０ａ〜５０ｃと筐体１ａ内の制御ユニット１００との間での信号の送受信が不能となる。
【００６５】
記録モジュール５０ａ〜５０ｃが筐体１ａから離脱した状態では、コネクタ１ｐ，５ｐの係合が解除されており、電力出力端子１ｐ１と電力入力端子５ｐ１とが互いに離隔して電気的に接続されていないため、上記各要素には電力が供給されない。またこのとき、接点１ｐ２，５ｐ２が互いに離隔しており、記録モジュール５０ａ〜５０ｃと筐体１ａ内の制御ユニット１００との間での信号の送受信が不能である。
【００６６】
制御ユニット１００は、図３に示すように、演算処理装置であるＣＰＵ（Central Processing Unit）１０１、ＲＯＭ（Read Only Memory）１０２、ＲＡＭ（Random Access Memory）１０３、ＡＳＩＣ（Application Specific Integrated Circuit）１０４、Ｉ／Ｆ（Interface）１０５及びＩ／Ｏ（Input/Output Port）１０６を含む。ＲＯＭ１０２は、ＣＰＵ１０１が実行するプログラム等の固定データを記憶している。ＲＡＭ１０３は、ＣＰＵ１０１がプログラムを実行するために必要なデータ（画像データ等）を一時的に記憶する。ＡＳＩＣ１０４は、画像データの書き替え、並び替え等（例えば、信号処理や画像処理）を行う。Ｉ／Ｆ１０５は、外部装置（例えば、プリンタ１に接続されたＰＣ）とデータの送受信を行う。Ｉ／Ｏ１０６は、各種センサと信号の送受信を行う。ＣＰＵ１０１は、制御ユニット１００に含まれるＣＰＵ１０１以外の各部と電気的に接続されており、各部から受信したデータに基づいて制御を行う。なお、記録モジュール５０ａ〜５０ｃのいずれに用紙Ｐが供給されるかは、任意に決定されてよく、例えば、複数の用紙Ｐに対して連続的に記録を行う場合に、上から順番又は下から順番に用紙Ｐが供給されてよい。
【００６７】
次いで、図６（ａ），（ｂ）及び図７（ａ）〜（ｄ）を参照し、開閉機構６０について説明する。
【００６８】
開閉機構６０は、記録モジュール５０ａ〜５０ｃ毎に設けられており、筐体１ａに設けられた傾斜部材６１と、記録モジュール５０ａ〜５０ｃに設けられた押圧部材６５、ばね６５Ｓ及び凸部５ｔとを含む。
【００６９】
傾斜部材６１は、搬送方向Ｄに沿って延在し、筐体１ａにおける一対の固定レール１ｍのうちの一方の上方に設けられている。傾斜部材６１の下面は、搬送方向Ｄの下流に向かうにつれて上方に傾斜し、傾斜面６１ｘを構成している。
【００７０】
押圧部材６５は、図６（ｂ）に示すように、モジュール筐体５内における側壁５ｗ４の近傍に配置され、搬送方向Ｄに沿った軸６５ｘを中心として回動可能にモジュール筐体５に支持されている。押圧部材６５は、図７（ｂ），（ｄ）に示すように、軸６５ｘが設けられ且つ軸６５ｘと直交する方向に延在する基部６５ａと、基部６５ａの一端から下方（チューブ５９に近づく方向）に突出した突出部６５ｂとを有する。基部６５ａの他端６５ａｔは、側壁５ｗ４に形成された貫通孔５ｃを介してモジュール筐体５の外部に突出している。押圧部材６５は、軸６５ｘを中心として回動することで、チューブ５９を押圧する押圧位置（図７（ａ），（ｂ）に示す位置）及びチューブ５９を押圧しない非押圧位置（図７（ｃ），（ｄ）に示す位置）を選択的に取ることが可能である。押圧部材６５は、本発明に係る「流路５９ｘを開放する開放位置（非押圧位置）及び流路５９ｘを閉塞する閉塞位置（押圧位置）を選択的に取ることが可能な移動部材」に該当する。
【００７１】
ばね６５Ｓは、本発明に係る「付勢部材」に該当するものであり、突出部６５ｂの上方に配置された有底筒６５Ｓｘに収容され、有底筒６５Ｓｘを介して押圧部材６５を非押圧位置から押圧位置に向けて（図７（ｂ），（ｄ）において反時計回りの方向に）付勢している。
【００７２】
記録モジュール５０ａ〜５０ｃが装着位置にあるとき、図７（ｃ），（ｄ）に示すように、押圧部材６５は、他端６５ａｔが傾斜面６１ｘと接触することで、ばね６５Ｓの付勢力に抗して非押圧位置に配置されている。このとき、流路５９ｘは開放されている。
【００７３】
記録モジュール５０ａ〜５０ｃが装着位置から引出位置に移動するとき、他端６５ａｔが、傾斜面６１ｘと接触しながら傾斜面６１ｘに沿って搬送方向Ｄに移動することで、上方に移動する。これに伴い、押圧部材６５は、軸６５ｘを中心として回動し、非押圧位置から押圧位置に移動する（図７（ａ），（ｂ）参照）。これにより、流路５９ｘが閉塞される。なお、押圧部材６５は、他端６５ａｔが傾斜面６１ｘと鉛直方向に対向しない位置に達したときに、傾斜部材６１から離隔し、他端６５ａｔが側壁５ｗ４における貫通孔５ｃが形成された面に当接して、この位置に保持される。
【００７４】
このように、開閉機構６０は、装着位置にあった記録モジュール５０ａ〜５０ｃが引出位置に到達したときに流路５９ｘを閉塞するように構成されている。
【００７５】
記録モジュール５０ａ〜５０ｃが筐体１ａから離脱した状態にあるときも、記録モジュール５０ａ〜５０ｃが引出位置にあるときと同様、押圧部材６５は、傾斜部材６１から離隔しており、ばね６５Ｓの付勢により押圧位置に配置されている。このとき、流路５９ｘは閉塞されている。
【００７６】
以上に述べたように、本実施形態に係るプリンタ１は、チューブ５９の流路５９ｘを選択的に開放し又は閉塞するように構成された開閉機構６０を備えている。開閉機構６０は、記録モジュール５０ａ〜５０ｃが装着位置にあるとき流路５９ｘを開放し（図７（ｃ），（ｄ）参照）、記録モジュール５０ａ〜５０ｃが筐体１ａから離脱した状態において流路５９ｘを閉塞する（図７（ａ），（ｂ）参照）ように構成されている。したがって、開閉機構６０により、筐体１ａから離脱された記録モジュール５０ａ〜５０ｃにおいて吐出口５１ｂからインクが漏れ出すのを抑制することができる。また、ユーザが特に意識しなくとも（即ち、ユーザが、記録モジュール５０ａ〜５０ｃの筐体１ａに対する着脱作業とは別に、流路５９ｘの開閉作業を行わなくとも）、記録モジュール５０ａ〜５０ｃの筐体１ａに対する着脱に応じて開閉機構６０が機能する。そのため、ユーザの作業負担が軽減されると共に、ユーザによる流路５９ｘの閉塞作業のし忘れによってインクが漏れ出すという事態を回避することができる。
【００７７】
用紙Ｐのジャムが生じた場合、通常、キャップ５５は非封止位置にある（図２（ａ）参照）。この場合に記録モジュール５０ａ〜５０ｃを筐体１ａから離脱させてジャム処理を行おうとすると、電力入力端子５ｐ１が電力出力端子１ｐ１と電気的に接続せず、キャリッジモータ５２Ｍに電力が供給されない状態になる。そのため、キャップ５５を非封止位置から封止位置に切り替えることができず、水頭差のバランスが崩れて吐出口５１ｂから漏れ出したインクが記録モジュール５０ａ〜５０ｃ内に飛散するという問題が生じ得る。しかし本実施形態では、開閉機構６０を設けたことにより、当該問題を抑制することができる。
【００７８】
開閉機構６０は、固定部分５９ｂにおいて流路５９ｘを閉塞する（図２（ａ）及び図６（ｂ）参照）。上記構成によれば、変位部分５９ａにおいて流路５９ｘを閉塞する場合に比べ、チューブ５９の劣化を防止することができる。
【００７９】
開閉機構６０は、流路５９ｘを開放する開放位置（非押圧位置）及び流路５９ｘを閉塞する閉塞位置（押圧位置）を選択的に取ることが可能な移動部材（押圧部材６５）を有する。移動部材は、記録モジュール５０ａ〜５０ｃが装着位置にあるとき開放位置を取り（図７（ｃ），（ｄ）参照）、記録モジュール５０ａ〜５０ｃが筐体１ａから離脱した状態において閉塞位置を取る（図７（ａ），（ｂ）参照）ように構成されている。上記構成によれば、比較的簡単な構成で開閉機構６０を実現することができる。
【００８０】
記録モジュール５０ａ〜５０ｃは、筐体１ａに支持された状態において装着位置と引出位置との間で移動可能であり、装着位置から引出位置を経由して筐体１ａから離脱される。開閉機構６０は、装着位置にあった記録モジュール５０ａ〜５０ｃが引出位置に到達したときに流路５９ｘを閉塞するように構成されている。上記構成によれば、ユーザが記録モジュール５０ａ〜５０ｃを筐体１ａから離脱させようとするときには（即ち、記録モジュール５０ａ〜５０ｃを引出位置に配置したときには）流路５９ｘが既に閉塞されているため、インク漏れをより確実に抑制することができる。また、開閉機構６０として、装着位置と引出位置との間の距離（ストローク）を利用した比較的簡単な機構を採用することができる。
【００８１】
開閉機構６０は、筐体１ａに設けられた傾斜部材６１と、記録モジュール５０ａ〜５０ｃに設けられた押圧部材６５及びばね６５Ｓとを含む。記録モジュール５０ａ〜５０ｃが装着位置にあるとき、押圧部材６５が、傾斜部材６１の傾斜面６１ｘと接触することにより、ばね６５Ｓの付勢力に抗して非押圧位置に配置される。これにより、開閉機構６０は流路５９ｘを開放する。記録モジュール５０ａ〜５０ｃが装着位置から引出位置に移動するとき、押圧部材６５が、傾斜部材６１の傾斜面６１ｘに沿って移動して軸６５ｘを中心として回動し、非押圧位置から押圧位置に移動する。これにより、開閉機構６０は流路５９ｘを閉塞する。上記構成によれば、比較的簡単な構成で開閉機構を実現することができる。
【００８２】
続いて、図８及び図９を参照し、本発明の第２実施形態に係るプリンタについて説明する。第２実施形態は、開閉機構の構成が第１実施形態と異なり、それ以外は第１実施形態と同じである。また、本実施形態において、記録モジュール５０ａ〜５０ｃの筐体１ａに対する着脱方向は鉛直方向（装着方向は下方、離脱方向は上方）である。
【００８３】
本実施形態の開閉機構１６０は、筐体１ａに設けられた回動部材１６１と、記録モジュール５０ａ〜５０ｃに設けられた押圧部材１６５及びばね１６５Ｓとを含む。
【００８４】
回動部材１６１は、主走査方向に沿った軸１６１ｘを中心として回動可能に可動レール１ｌに取り付けられている。回動部材１６１は、軸１６１ｘが設けられ且つ軸１６１ｘと直交する方向に延在する基部１６１ａと、基部１６１ａの一端から下方に突出した突出部１６１ｂと、突出部１６１ｂの下端から主走査方向に沿って可動レール１ｌから離隔する方向に延出した底部１６１ｃと、底部１６１ｃの上端から上方に突出した突出部１６１ｄとを有する。
【００８５】
押圧部材１６５は、図９（ｂ）に示すように、モジュール筐体５内における側壁５ｗ４及び下壁５ｗ６の近傍に配置され、鉛直方向に移動可能にモジュール筐体５に支持されている。押圧部材１６５は、鉛直方向に延在する有底筒１６５ａと、有底筒１６５ａの下端から主走査方向に沿って側壁５ｗ４に近づく方向に突出した突出部１６５ｂとを有する。押圧部材１６５は、鉛直方向に移動することで、チューブ５９を押圧する押圧位置（図９（ｃ）に示す位置）及びチューブ５９を押圧しない非押圧位置（図９（ｂ）に示す位置）を選択的に取ることが可能である。
【００８６】
ばね１６５Ｓは、本発明に係る「付勢部材」に該当するものであり、有底筒１６５ａに収容され、押圧部材１６５を非押圧位置から押圧位置に向けて（下方に）付勢している。
【００８７】
凸部５ｔは、図８及び図９（ａ）に示すように、側壁５ｗ４の外面に形成されており、当該外面から主走査方向に沿って側壁５ｗ４から離隔する方向に突出している。
【００８８】
記録モジュール５０ａ〜５０ｃが装着位置にあるとき、図９（ａ）に示すように、回動部材１６１は、基部１６１ａの他端１６１ａｔが凸部５ｔと接触し、記録モジュール５０ａ〜５０ｃによって下方に押されている。このとき、図９（ｂ）に示すように、突出部１６１ｄは、下壁５ｗ６に形成された貫通孔５ｄを介してモジュール筐体５の内部に挿入され、突出部１６５ｂと接触し、突出部１６５ｂを下方から支持している。これにより、押圧部材１６５は、ばね１６５Ｓの付勢力に抗して非押圧位置に配置されている。このとき、流路５９ｘは開放されている。
【００８９】
記録モジュール５０ａ〜５０ｃが引出位置にあるとき（また、記録モジュール５０ａ〜５０ｃが装着位置から引出位置に移動する間）も、記録モジュール５０ａ〜５０ｃが装着位置にあるときと同様、回動部材１６１が記録モジュール５０ａ〜５０ｃによって下方に押され、押圧部材１６５が回動部材１６１と接触することによりばね１６５Ｓの付勢力に抗して非押圧位置に配置されている。このとき、流路５９ｘは開放されている。
【００９０】
記録モジュール５０ａ〜５０ｃが可動レール１ｌから離脱されるとき、回動部材１６１に対する記録モジュール５０ａ〜５０ｃからの下方の押圧力が解除される。これに伴い、ばね１６５Ｓの付勢により、回動部材１６１が軸１６１ｘを中心として図８及び図９（ａ）において時計回りの方向に回動し、且つ、押圧部材１６５が非押圧位置から押圧位置に移動する（図９（ｃ）参照）。これにより、流路５９ｘが閉塞される。また、突出部１６１ｄが突出部１６５ｂから離隔してモジュール筐体５の外部に配置され、押圧部材１６５は回動部材１６１から離隔される。
【００９１】
このように、開閉機構１６０は、引出位置にあった記録モジュール５０ａ〜５０ｃが筐体１ａから離脱されたときに流路５９ｘを閉塞するように構成されている。
【００９２】
記録モジュール５０ａ〜５０ｃが筐体１ａから離脱した状態にあるときも、押圧部材１６５は、回動部材１６１から離隔しており、ばね１６５Ｓの付勢により押圧位置に配置されている。このとき、流路５９ｘは閉塞されている。
【００９３】
以上に述べたように、本実施形態によれば、第１実施形態と同様の構成による同様の効果に加え、以下のような効果を得ることができる。
【００９４】
記録モジュール５０ａ〜５０ｃは、筐体１ａに支持された状態において装着位置と引出位置との間で移動可能であり、装着位置から引出位置を経由して筐体１ａから離脱される。開閉機構１６０は、引出位置にあった記録モジュール５０ａ〜５０ｃが筐体１ａから離脱されたときに流路５９ｘを閉塞するように構成されている。上記構成によれば、開閉機構として、記録モジュール５０ａ〜５０ｃ自体の重量や記録モジュール５０ａ〜５０ｃの装着動作に係る荷重を利用した比較的簡単な機構を採用することができる。
【００９５】
開閉機構１６０は、筐体１ａに設けられた回動部材１６１と、記録モジュール５０ａ〜５０ｃに設けられた押圧部材１６５及びばね１６５Ｓとを含む。記録モジュール５０ａ〜５０ｃが装着位置にあるとき、及び、記録モジュール５０ａ〜５０ｃが引出位置にあるとき、回動部材１６１が記録モジュール５０ａ〜５０ｃによって下方に押され、押圧部材１６５が回動部材１６１と接触することによりばね１６５Ｓの付勢力に抗して非押圧位置に配置される。これにより、開閉機構１６０は流路５９ｘを開放する。記録モジュール５０ａ〜５０ｃが可動レール１ｌから離脱されるとき、回動部材１６１に対する記録モジュール５０ａ〜５０ｃからの下方の押圧力が解除されるのに伴い、ばね１６５Ｓの付勢により、回動部材１６１が軸１６１ｘを中心として回動し、且つ、押圧部材１６５が非押圧位置から押圧位置に移動する。これにより、開閉機構１６０は流路５９ｘを閉塞する。上記構成によれば、比較的簡単な構成で開閉機構を実現することができる。
【００９６】
また、図９（ａ）に示すように、回動部材１６１の基部１６１ａにおいて、他端１６１ａｔから軸１６１ｘまでの距離Ｌ１は、一端から軸１６１ｘまでの距離Ｌ２よりも長い（Ｌ１＞Ｌ２）。これにより、比較的小さい荷重で、回動部材１６１を回動させ、流路５９ｘを閉塞することができる。
【００９７】
以上、本発明の好適な実施の形態について説明したが、本発明は上述の実施形態に限られるものではなく、特許請求の範囲に記載した限りにおいて様々な設計変更が可能なものである。
【００９８】
・記録装置が複数の記録モジュールを含む場合に、当該複数の記録モジュールのいずれかに対して開閉機構が設けられなくてもよい。
・１の記録モジュールに対する開閉機構の数は、上述の実施形態では１つであるが、任意であり、複数であってもよい（即ち、１個所ではなく複数個所において流路を閉塞してもよい）。
・開閉機構の構成は、上述の実施形態の構成に限定されず、任意であり、例えば、ソレノイドを含む機構、カム・ギヤを含む機構等であってもよい。
・開閉機構は、流路部材の変位部分において流路を閉塞してもよい。
・引出位置は、上述の実施形態では装着位置から引出方向（搬送方向Ｄ）に最も離れた位置であるが、記録モジュールが筐体に支持された状態において装着位置から引出方向に離れた位置である限りは、これに限定されない。即ち、第１実施形態において、開閉機構は、記録モジュールが引出位置に到達したときに流路を閉塞するように構成されており、例えば、記録モジュールが装着位置から引出方向に移動を開始した直後に流路を閉塞してもよい。
・記録モジュールの筐体からの引出方向は、搬送方向であることに限定されず、搬送方向と直交する方向（例えば主走査方向）等であってもよい。また、記録モジュールの筐体に対する着脱方向は、特に限定されず（例えば搬送方向でもよく）、また、引出方向と同じであってもよいし異なってもよい。
・上述の実施形態では、記録モジュールを筐体から引き出して引出位置に配置してから、記録モジュールの筐体に対する着脱を行う構成であるが、これに限定されない。
・記録装置に含まれる記録モジュールの数は、任意であり、１つであってもよい。
・液体吐出部は、シリアル式に限定されず、ライン式であってもよい。
・搬送機構は、記録媒体を挟持しつつ回転するローラ対を含む構成に限定されず、記録媒体を表面に支持しつつ走行するベルトを含む構成であってもよい。
・液体収容部に収容される液体は、インクに限定されず、インク中の成分を凝集又は析出させる処理液等であってもよい。
・液体収容部は、記録モジュールに対して着脱可能及び着脱不能のいずれであってもよい。
・移動機構は、液体吐出部を移動させずにキャップを移動させてもよく、また、液体吐出部及びキャップの両方を移動させてもよい。
・記録モジュールは、キャップや基板を支持していなくてもよい。
・記録装置は、プリンタに限定されず、ファクシミリ、コピー機、複合機等であってもよい。
・記録媒体は、用紙に限定されず、布等であってもよい。
【符号の説明】
【００９９】
１  インクジェットプリンタ（記録装置）
１ａ  筐体
１ｌ  可動レール
１ｍ  固定レール
１ｐ１  電力出力端子
３  用紙収容部（記録媒体収容部）
５ｐ１  電力入力端子
２０ｘ  上流搬送機構（搬送機構）
５０ａ〜５０ｃ  記録モジュール
５１  インクジェットヘッド（液体吐出部）
５１ａ  吐出面
５１ｂ  吐出口
５２  キャリッジ
５２ｘ  キャリッジ移動機構（移動機構）
５５  キャップ
５７  インク収容部（液体収容部）
５９  チューブ（流路部材）
５９ａ  変位部分
５９ｂ  固定部分
５９ｘ  流路
６０  開閉機構
６１  傾斜部材
６１ｘ  傾斜面
６５  押圧部材（移動部材）
６５Ｓ  ばね（付勢部材）
１６０  開閉機構
１６１  回動部材
１６５  押圧部材（移動部材）
１６５Ｓ  ばね（付勢部材）
Ｄ  搬送方向
Ｐ  用紙（記録媒体）
Ｒｘａ〜Ｒｘｃ  移動経路
【図１】
0006554869.tif 000002
【図２】
0006554869.tif 000003
【図３】
0006554869.tif 000004
【図４】
0006554869.tif 000005
【図５】
0006554869.tif 000006
【図６】
0006554869.tif 000007
【図７】
0006554869.tif 000008
【図８】
0006554869.tif 000009
【図９】
0006554869.tif 000010